(57)【特許請求の範囲】
【請求項１】
個人化されたコンテンツを配信する方法であって、
ユーザに対応するポータブルデバイスからメディアファイルを受信するステップと、
前記メディアファイルの少なくとも一部に基づいてユーザプロファイルを生成するステップと、
グローバルポジショニングシステム（ＧＰＳ）デバイスからユーザの地理的な位置を受け取るステップと、
前記ユーザプロファイルと前記地理的な位置の少なくとも一部に基きサービスプロバイダによって識別された前記コンテンツを、前記サービスプロバイダから受け取るステップ
前記ユーザプロファイル及び地理的な位置に少なくとも一部基づいて、コンテンツドリブンサービスプロバイダによって生成される、ユーザの現在又は予測される未来の位置内におけるユーザの興味あるイベントに関する情報を受け取るステップと、
車両に含まれるインフォティンメントインターフェースを介してユーザに前記コンテンツ及び／又は前記ユーザの現在又は予測される未来の位置内におけるユーザの興味あるイベントに関する情報を提供するステップと
を備え、
前記ステップの全てがコンテンツプラットフォームによって実行され、
前記ユーザプロファイルは、ユーザが手動にて編集できるユーザの興味指標を含み、
前記ユーザプロファイルは、他のアクセスデバイスを介して前記サービスプロバイダを閲覧する間、ユーザのアクティビティに基づいて更新される、個人化されたコンテンツを配信する方法。
【請求項２】
前記コンテンツを受け取るステップは、前記ユーザプロファイルに対応する付加的なメディアファイルを受け取るステップを備える請求項１記載の個人化されたコンテンツを配信する方法。
【請求項３】
前記付加的なメディアファイルは、音楽ファイル及びオーディオ／ビジュアルファイルのうちの少なくとも一つを備える請求項２記載の個人化されたコンテンツを配信する方法。
【請求項４】
前記付加的なメディアファイルを識別するサービスプロバイダからのメッセージを受け取るステップと、前記インフォティンメントインターフェースからの前記付加的なメディアファイルのための購入リクエストをサービスプロバイダに送信するステップとを備え、前記ステップの全てが前記コンテンツプラットフォームによって実行される請求項２記載の個人化されたコンテンツを配信する方法。
【請求項５】
前記イベントへの入場券のオファーを受け取るステップと、前記入場券を購入するために前記サービスプロバイダに前記インフォティンメントインターフェースから購入リクエストを送信するステップとを備え、前記ステップの全てが前記コンテンツプラットフォームによって実行される請求項１記載の個人化されたコンテンツを配信する方法。
【請求項６】
前記入場券の購入を承認するための前記サービスプロバイダからの承認確認を受け取るステップと、ＧＰＳナビゲーションデバイスにより未来の目的地として設定されるイベント位置を受け取るステップとを備え、前記ステップの全てが前記コンテンツプラットフォームによって実行される請求項５記載の個人化されたコンテンツを配信する方法。
【請求項７】
前記ユーザプロファイルを生成するステップは、前記メディアファイルに対応するメタデータを受信するステップと、前記ユーザプロファイルに前記メタデータに対応するユーザ興味指標を加えるステップとを備え、前記ステップの全てが前記コンテンツプラットフォームによって実行される請求項１記載の個人化されたコンテンツを配信する方法。
【請求項８】
個人化されたコンテンツを提供するためのシステムであって、
ポータブルデバイスからのメディアファイルを受け取り、さらに前記メディアファイルの少なくとも一部に基づいてユーザプロファイルを生成するコンテンツプラットフォームと、
前記コンテンツプラットフォームに通信可能に結合され、前記コンテンツプラットフォームの位置を判断するように構成されるＧＰＳデバイスと、
ネットワークを通して前記コンテンツプラットフォームと通信して、付加的なメディアファイルを前記コンテンツプラットフォームに提供するコンテンツサービスプロバイダと、
前記ネットワークを通して前記コンテンツプラットフォームと通信して、ユーザの興味のあるイベントの情報を前記コンテンツプラットフォームに提供するコンテンツドリブンサービスプロバイダと
を備え、
前記コンテンツプラットフォームは、前記ユーザプロファイル及び車両位置を前記ネットワークを介して前記コンテンツサービスプロバイダ及び／又は前記コンテンツドリブンサービスプロバイダに送り、
前記コンテンツサービスプロバイダは前記ユーザプロファイル及び前記車両位置に少なくとも一部基づいてコンテンツを識別し、この識別したコンテンツを前記コンテンツプラットフォームに提供し、
さらに前記コンテンツドリブンサービスプロバイダは、前記ユーザプロファイル及び地理的な位置に少なくとも一部基づいて生成した、ユーザの現在又は予測される未来の位置内におけるユーザの興味あるイベントに関する情報を提供するように構成され、
前記ユーザプロファイルは、ユーザが手動にて編集できるユーザの興味指標を含み、
前記ユーザプロファイルは、他のアクセスデバイスを介して前記コンテンツサービスプロバイダを閲覧する間、ユーザのアクティビティに基づいて更新される、個人化されたコンテンツを提供するためのシステム。
【請求項９】
前記ネットワークは、電気グリッドの電力線通信を備える請求項８記載の個人化されたコンテンツを提供するためのシステム。
【請求項１０】
前記コンテンツサービスプロバイダは、ウェブブラウザ或いはウェブベースアプリケーションによってインターネットを介してアクセス可能とされる個人化されたアクセスポータルを提供するように構成される請求項８記載の個人化されたコンテンツを提供するためのシステム。
【請求項１１】
前記ポータブルデバイスは、ラップトップコンピュータ、ＭＰ３プレーヤ、及び電子本ビューワのうちの少なくとも一つを備える請求項８記載の個人化されたコンテンツを提供するためのシステム。
【請求項１２】
前記コンテンツプラットフォームは、車両内にて再生されるオーディオ及びビジュアルメディアを提供するように構成されるインフォティンメントインターフェースに備えられる請求項８記載の個人化されたコンテンツを提供するためのシステム。
【請求項１３】
前記個人化されたコンテンツは、オーディオファイル及びオーディオ／ビジュアルファイルのうちの少なくとも一つを備える請求項８記載の個人化されたコンテンツを提供するためのシステム。
【請求項１４】
車両であって、
車両内にあってオーディオ及びビジュアルメディアを提供するように構成されるインフォティンメントインターフェースであって、ポータブルデバイスからのメディアファイルを受信するための通信インターフェースを備える前記インフォティンメントインターフェースと、
前記インフォティンメントインターフェースに通信可能に結合されるグローバルポジショニングシステム（ＧＰＳ）デバイスとを備え、
前記インフォティンメントインターフェースは、前記ポータブルデバイスに蓄積された前記メディアファイルに少なくとも一部基づいたユーザプロファイルを生成し、前記ユーザプロファイル及び車両位置をネットワークを介してサービスプロバイダ及び／又はコンテンツドリブンサービスプロバイダに送信し、前記ユーザプロファイル及び車両位置に一部基づいたサービスプロバイダによって識別されるコンテンツを受信し、さらに前記インフォティンメントインターフェースは前記ユーザプロファイル及び地理的な位置に少なくとも一部基づいて、コンテンツドリブンサービスプロバイダによって生成される、ユーザの現在又は予測される未来の位置内におけるユーザの興味あるイベントに関する情報を受信し、
前記ユーザプロファイルは、ユーザが手動にて編集できるユーザの興味指標を含み、
前記ユーザプロファイルは、他のアクセスデバイスを介して前記サービスプロバイダを閲覧する間、ユーザのアクティビティに基づいて更新される、ように構成される車両。
【請求項１５】
前記インフォティンメントインターフェースは、ＧＰＳナビゲーションシステムを備え、前記車両の位置は前記ＧＰＳナビゲーションシステムを介してユーザによって選択される目的地に基づいて予測される未来の位置に対応する請求項１４記載の車両。
【請求項１６】
前記車両は、電気グリッドを介して充電されるように構成されるバッテリを備え、さらに前記ネットワークは前記電気グリッドを介してアクセスされる電力線通信ネットワークを備える請求項１４記載の車両。
【請求項１７】
個人化コンテンツは、前記ユーザプロファイルに対応する付加的なメディアファイルを含む請求項１４記載の車両。
【請求項１８】
個人化コンテンツは、前記ユーザプロファイルに対応する車両位置に近いイベントを識別するメッセージを含む請求項１４記載の車両。
【請求項１９】
前記インフォティンメントインターフェースは前記イベントへの入場券をユーザが購入するのを可能とするように構成される請求項１８記載の車両。
【発明の詳細な説明】
【技術分野】
【０００１】
本発明は、全体的にはコンテンツの個人化システム及び方法に関する。さらに詳細に、本発明は、ポータブルデバイスから受信したメディアファイルに基づいてユーザプロファイルを自動的に生成し、かつ前記ユーザプロファイル及びユーザの位置に基づいて個人化されたコンテンツを配信するコンテンツ個人化システムに関する。
【背景技術】
【０００２】
このセクションは、読者に、以下に説明され、及び／請求される本発明の様々なアスペクトに関する、様々な技術アスペクトを紹介することを意図している。この考察は、本発明の様々なアスペクトの良好な理解を容易にするための背景情報を提供するのに役立つと信じられる。つまり、これらのステートメントは、従来技術のアドミッションとしてではなく、この発明に鑑みて読まれるのを理解すべきである。
【０００３】
消費者は、製品の膨大な品揃え、サービス、イベント及び社会的相互作用の機会への利用権利（access)を有する。そのような大きな市場にあって、消費者を彼らの興味の範囲内のアクティビティに結びつけるというチャレンジは困難を伴う。消費者の地理的な範囲にあって提供されるイベント或いはサービスを探すために努力している消費者は、大部分が消費者の興味に無関係かもしれない大量の情報を通して探さなければならない。いくつかのケースにあって、サービス及びイベントの宣伝は、地理的な位置に基づいて、特定の消費者をターゲットにされるかもしれないが、そのような宣伝は消費者が求めている特定の興味を考慮に入れていないかもしれない。例えば、ラジオ及びテレビジョンでの広告は、多数の視聴者に受け入れられるように作られており、複数のリスナーの個人の興味を反映してはいない。
【発明の概要】
【発明が解決しようとする課題】
【０００４】
本発明の一具現化例は、車両に含まれるインフォティンメントインターフェースを介してユーザに個人化されたコンテンツを配信する方法を提供する。
【課題を解決するための手段】
【０００５】
いくつかの具現化例にあって、前記方法は、ユーザに対応するポータブルデバイスからメディアファイルを受信するステップと、前記メディアファイルの少なくとも一部に基づいてユーザプロファイルを生成するステップを含む。いくつかの具現化例にあって、前記ユーザプロファイルを生成するステップは、前記メディアファイルに対応するメタデータを受信するステップと、前記ユーザプロファイルに前記メタデータに対応するユーザ興味指標を加えるステップとを備える。前記方法は、さらに、グローバルポジショニングシステム（ＧＰＳ）デバイスからユーザの地理的な位置を受け取るステップを備える。前記個人化されるコンテンツは、前記インフォティンメントインターフェースを介して、前記ユーザプロファイル及び地理的位置に少なくとも一部基づいてサービスプロバイダから受信されてもよい。
【０００６】
いくつかの具現化例にあって、前記コンテンツは、音楽ファイル及びオーディオ／ビジュアルファイルのような前記ユーザプロファイルに対応する付加的なメディアファイルを含んでもよい。そのような具現化例にあって、前記方法は、前記付加的なメディアファイルを識別するサービスプロバイダからのメッセージを受け取るステップと、前記インフォティンメントインターフェースからの購入リクエストを前記付加的なメディアファイルのためのサービスプロバイダに送信するステップとを備えてもよい。
【０００７】
前記コンテンツは、ユーザの地理的な位置の近くでのイベントに関してユーザに知らせるメッセージを備えてもよい。そのような具現化例にあって、前記方法は、前記イベントへの入場券のオファーを受け取るステップと、前記入場券を購入するために前記サービスプロバイダに前記インフォティンメントインターフェースから購入リクエストを送信するステップとを備えてもよい。前記方法は、前記入場券の購入を承認するための前記サービスプロバイダからの承認を受け取るステップと、ＧＰＳナビゲーションデバイスにより将来の目的地として設定されるイベント位置を受け取るステップとを備えてもよい。
【０００８】
本発明の他の具現化例は、個人化されたコンテンツを提供するためのシステムである。前記システムは、ポータブルデバイスからのメディアファイルを受け取り、さらに前記メディアファイルの少なくとも一部に基づいてユーザプロファイルを生成するコンテンツプラットフォームを備えてもよい。前記システムは、さらに前記コンテンツプラットフォームに通信可能に結合され、前記コンテンツプラットフォームの位置を判断するように構成されるＧＰＳデバイスを備えてもよい。前記コンテンツプラットフォームは、前記ユーザプロファイル及び車両位置をネットワークを介してサービスプロバイダに送ると共に前記ユーザプロファイル及び前記車両位置に少なくとも一部基づいてサービスプロバイダにより識別されるコンテンツを受け取るように構成されている個人化されたコンテンツを提供する。いくつかの具現化例にあって、前記ネットワークは、電気グリッドの電力線通信を備えてもよい。
【０００９】
いくつかの具現化例にあって、前記サービスプロバイダは、ウェブブラウザ或いはウェブベースアプリケーションによってインターネットを介してアクセス可能とされる個人化されたアクセスポータルを提供するように構成される。前記ポータブルデバイスは、ラップトップコンピュータ、ＭＰ３プレーヤ、及び電子本ビューワのうちの少なくとも一つを備える。
【００１０】
一具現化例にあって、前記個人化されたコンテンツは、オーディオファイル及びオーディオ／ビジュアルファイルのうちの少なくとも一つを備える個人化されたコンテンツを含んでもよい。他の具現化例にあって、前記個人化されたコンテンツは、ユーザプロファイル及びユーザの地理的な位置に対応したイベントについてユーザに知らせるメッセージを含んでもよい。
【００１１】
本発明の他の具現化例は、車両内にあってオーディオ及びビジュアルメディアを提供するように構成されるインフォティンメントインターフェースであって、ポータブルデバイスからのメディアファイルを受信するための通信インターフェースを備える前記インフォティンメントインターフェースと、車両内にあってオーディオ及びビジュアルメディアを提供するように構成されるインフォティンメントインターフェースであって、ポータブルデバイスからのメディアファイルを受信するための通信インターフェースを備える前記インフォティンメントインターフェースと、車両内にあってオーディオ及びビジュアルメディアを提供するように構成されるインフォティンメントインターフェースであって、ポータブルデバイスからのメディアファイルを受信するための通信インターフェースを備える前記インフォティンメントインターフェースを備えてもよい。前記車両は、前記コンテンツプラットフォームに通信可能に結合され、前記コンテンツプラットフォームの位置を判断するように構成されるＧＰＳデバイスを備えてもよい。前記インフォティンメントインターフェースは、前記ポータブルデバイスに蓄積された前記メディアファイルに少なくとも一部基づいたユーザプロファイルを生成し、前記ユーザプロファイル及び車両位置をネットワークを介してサービスプロバイダに送信し、前記ユーザプロファイル及び車両位置に一部基づいたサービスプロバイダによって識別されるコンテンツを受信するように構成されてもよい。
【００１２】
前記インフォティンメントインターフェースは、ＧＰＳナビゲーションシステムを備え、前記車両の位置は前記ＧＰＳナビゲーションシステムを介してユーザによって選択される目的地に基づいて予測される未来の位置に対応する。いくつかの具現化例にあって、前記車両は、電気グリッドを介して充電されるように構成されるバッテリを備え、さらに前記ネットワークは前記電気グリッドを介してアクセスされる電力線通信ネットワークを備える。
【００１３】
一具現化例によれば、前記個人化コンテンツは、前記ユーザプロファイルに対応する付加的なメディアファイルを含んでもよい。前記個人化コンテンツは、前記ユーザプロファイルに対応する車両位置に近いイベントを識別するメッセージを含んでもよい。そのような具現化例にあって、前記インフォティンメントインターフェースは前記イベントへの入場券をユーザが購入するのを可能とするように構成されてもよい。
【００１４】
本発明の前述の及び他の特徴及び利点、さらにはそれら特徴及び利点を成し遂げる方法は、添付の図面に関連した本発明の一具現化例の以下の説明を参照することによって明瞭になり、さらにより理解されるであろう。
【図面の簡単な説明】
【００１５】
【図１】本発明の一具現化例による、個人化された、位置を基にしたコンテンツをユーザに提供するためのシステムのブロック図である。
【図２】本発明の一具現化例による、個人化された、位置を基にしたコンテンツをユーザに提供するための方法のフローチャートである。
【図３】本発明の一具現化例による、様々なデバイスからの個人化された、位置を基にしたコンテンツへのユーザアクセスを可能とするためのシステム３００のブロック図である。
【００１６】
対応する参照符号がいくつかの図を通して対応する部品に示される。本明細書にて説明される実例は、一つの形態における、本発明の好ましい具現化例を例示するものであり、それらの例示はどのような仕様であっても本発明の範囲を制限することとして解釈されるものではない。
【発明を実施するための形態】
【００１７】
本発明の一つ以上の詳細な具現化例が以下に説明される。これらの具現化例の的確な説明を提供するための努力にあっても、実際の実施の全ての特徴が明細書にて説明されるわけではない。エンジニアリング或いは設計プロジェクトにおける、そのような実際の実施の開発にあって、多くの具体的な実施の関連の装置、及び関連のビジネスの制限へのコンプライアンスのような、一つの実施から別の実施にて変更する決定が開発者の特定の目的を実現するためになされることを理解すべきである。さらに、そのような開発努力は、複雑であり、さらに時間を要するが、これらの開示の利益を有する当業者には、決まった設計、製作及び製造の仕事になるであろう。
【００１８】
本発明の具現化例は、位置に基づいたコンテンツがユーザの興味に基づいてユーザに配信されるのを可能とするコンテンツ個人化システムに関する。前記コンテンツ個人化システムは、ユーザによって、ＭＰ３プレーヤ、移動電話、ラップトップコンピュータ、タブレットＰＣ、ユニバーサルシリアルバス（ＵＳＢ）フラッシュメモリドライブ、デジタルカメラ、携帯情報端末（ＰＤＡ）などのような、ポータブル、或いはノマディック、メディアデバイスに蓄積されたメディアファイルに基づいてユーザプロファイルを自動的に生成する。前記システムは、ＧＰＳナビゲーションシステムを通してユーザの位置情報を受信する。ユーザのプロファイル及び位置情報に基づいて、様々な対象とされるコンテンツがユーザに配信される。例えば、一具現化例にあっては、ユーザの地理的なエリアにおける、ユーザの興味にマッチした近く行われるイベント、例えば、音楽コンサート、スポーツイベント、劇場パフォーマンス、クラブミーティング、書籍サイン会、自治体主催の社交行事など、をユーザに知らせる、通知がユーザに送達されてもよい。ユーザは、例えば、特定のアーティストに関連する音楽コンサート或いはイベントについての、ある種の通知のみを表示するためにこれらの通知を手動で検索する選択を有していてもよい。
【００１９】
図１は、一具現化例に係る、個人化された、位置に基づいたコンテンツをユーザに提供するためのシステム１００のブロック図である。前記システム１００は、多様な情報及びエンターティンメントコンテンツをアクセスするために用いられるコンテンツプラットフォーム１０２を備える。例えば、コンテンツプラットフォーム１０２は、映像コンテンツを表現するための表示スクリーンと、表示されるコンテンツから分離されているか或いはオーディオ／ビデオプログラムの一部である、オーディオコンテンツを再生するためのオーディオシステムを備える。コンテンツプラットフォーム１０２は、ナビゲーションマップ、ミュージックCDｓ、DVDｓのような情報にアクセスするために、プログラム情報をダウンロードして蓄積するための書込み可能なCDドライバのような、一つ以上の記憶デバイスを備える。コンテンツプラットフォーム１０２は、現在の技術の具現化例にて用いられるプログラム及びデータを備える、プログラム及びデータを動作するための長期蓄積のための蓄積システムのような、有形の、機械的読取可能な記憶メディアを備えてもよい。
【００２０】
いくつかの具現化例にあって、前記コンテンツプラットフォームは、車両のインフォティンメントインターフェースに含まれていてもよい。この明細書にて用いられているところの、用語「インフォティンメントインターフェース」は、固定されたユーザインターフェースを車両内に配置された情報及びエンターティンメントソースに結合させる、車両内の情報及びエンターティンメントシステムに言及する。そのような具現化例にあって、コンテンツプラットフォーム１０２は、ＡＭ、ＦＭ、及び衛星ラジオシステムを含むラジオ周波数（ＲＦ）サブシステムを備えてもよい。さらに、コンテンツプラットフォーム１０２は、車両のキャビン全体に分散配置された一つ以上のオーディオスピーカを含む、車両オーディオシステムに結合されてもよい。明瞭さの目的のため、説明された具現化例は、前記システム１００を例示しており、前記コンテンツプラットフォームは、車両のインフォティンメントインターフェースに含まれる。しかし、コンテンツプラットフォーム１０２は、例えば、ラップトップコンピュータ、移動電話、携帯情報端末などのような任意の適切な移動型或いは携帯型デバイスに含まれてもよいことが理解されるであろう。そのような移動型或いは携帯型デバイスは、さらに本明細書では、ノマディックデバイスとして言い換えて言及される。
【００２１】
コンテンツプラットフォーム１０２は、ユーザ入力を受け付ける多くのユーザ操作装置（コントロール）１０４を含んでもよい。コンテンツプラットフォーム１０２用のユーザコントロール１０４は、前記表示スクリーンのエッジ或いはタッチスクリーンの使用にしたがって、表示スクリーン内に作りつけられてもよい。代替的に、コンテンツプラットフォーム１０２用のユーザコントロール１０４は、中央コンソール、アームレスト、或いはハンドルなどの、アクセスが容易な近接した構造であってもよい。ユーザコントロール１０４を通して、ユーザは、コンテンツプラットフォーム１０２によって表示されるか或いは再生される、特定のメディアファイルを選択してもよい。例えば、ユーザは、特定の歌、ビデオ、テキストドキュメント、地図などを選択してもよい。ユーザコントロール１０４は、ユーザがメディアファイルを管理すること、例えばメディアファイルのダウンロード或いは削除するのを、可能にする。ユーザコントロール１０４は、ユーザが車両内に備えられる、例えばＲＦサブシステム、車両オーディオシステム、ＧＰＳナビゲーションシステムなどの他のシステムを制御するのを可能とする。
【００２２】
前記システム１００は、コンテンツプラットフォーム１０２の位置を判断するためのＧＰＳ位置デバイス１０６をさらに含んでもよい。ＧＰＳ位置デバイス１０６は、ＧＰＳ衛星通信を受信するためにＲＦ受信機を備えてもよい。前記位置情報は、前記衛星通信に基づいたＧＰＳ位置デバイス１０６によって計算され、コンテンツプラットフォーム１０２に伝達される。コンテンツプラットフォーム１０２に含まれる前記表示部は、地図、現在位置、経路ガイドなどの多様なＧＰＳナビゲーションデータを提供する。コンテンツプラットフォーム１０２は、旅行計画、経路ガイド、ポイントオブインタレスト探索などの、多様なＧＰＳナビゲーション特徴の選択を可能とする。
【００２３】
いくつかの具現化例にあって、コンテンツプラットフォーム１０２は、ノマディックデバイス１０８に蓄積されたコンテンツを受信し、及び／又は視聴されるように構成されてもよい。前述したようにノマディックデバイスの具現化例は、ＭＰ３プレーヤ、移動電話、ラップトップコンピュータ、タブレットＰＣ、ＵＳＢフラッシュドライブ、デジタルカメラ、携帯情報端末（ＰＤＡ）などを含んでもよい。本明細書にて用いられるノマディックデバイスは、音楽、画像、オーディオ／ビデオファイル、テキストドキュメント、ソフトウェアアプリケーションなどを蓄積する能力を提供する任意のハンドヘルド電子デバイスに言及する。ノマディックデバイス１０８は、例えば車両のローカルエリアネットワーク（ＬＡＮ）などの任意の適切な電子通信インターフェースを介してコンテンツプラットフォーム１０２に通信可能に結合される。前記ＬＡＮは、例えばＷｉＦｉ、Ｚｉｇｂｅｅ（登録商標）、Ｂｌｕｅｔｏｏｔｈ（登録商標）などのような任意の適切な通信プロトコルを用いてもよい。前記電子通信インターフェースは、例えば、ＵＳＢポート、電力線通信（ＰＬＣ）ポートなどのような車両内に含まれるデータポートを含んでもよい。
【００２４】
いくつかの具現化例にあって、コンテンツプラットフォーム１０２は、ユーザの興味を反映したユーザプロファイルを発生するためのハードウェア或いはソフトウェアを備えてもよい。さらに、図２を参照して、後述するように、ユーザプロファイルは、ノマディックデバイス１０８からコンテンツプラットフォーム１０２によって受信されたメディアファイルに部分的に基づいて自動的に発生される。
【００２５】
システム１００は、例えば、追加的な音楽ファイル及びオーディオ／ビジュアルファイルのような付加的なメディアファイルをコンテンツプラットフォーム１０２に提供する、コンテンツサービスプロバイダ（ＣＳＰ）１１０を備えてもよい。ＣＳＰ１１０は、例えば、ワイドエリアネットワーク（ＷＡＮ）、ＷｉＦｉネットワーク、セルラーネットワークなどの任意の適切なネットワークを通してコンテンツプラットフォーム１０２と通信する。電気自動者又はプラグインハイブリッド電気車両の場合、ＣＳＰ１１０は、前記車両を充電するために用いられる電気グリッド（grid）を通してコンテンツプラットフォーム１０２と通信する。そのような具現化例にあって、前記車両は、コンテンツプラットフォーム１０２を前記電気グリッドを介してサービスプロバイダに結合するためのＰＬＣシステムを含んでもよい。例えば、前記車両は、パナソニック株式会社（Panasonic Corporation）を含む様々なソースから得られるＨＤ−ＰＬＣシステムを含んでもよい。図２を参照してさらに後述するように、ＣＳＰ１１０は、その後、前記ユーザプロファイルに対応するコンテンツをコンテンツプラットフォーム１０２に提供する。例えば、ＣＳＰ１１０は、ユーザがコンテンツプラットフォーム１０２にダウンロードするために選択するかもしれない、お勧めの歌のタイトルのリストを提供する。
【００２６】
システム１００は、ユーザが興味を持つユーザの領域における現在或いは近日中のイベントを知らせるために、コンテンツプラットフォーム１０２へメッセージを提供するコンテンツドリブンサービスプロバイダ（ＣＤＳＰ）１１２を備えてもよい。ＣＤＳＰ１１２は、コンテンツプラットフォーム１０２と任意の適切なネットワーク接続、例えばワイドエリアネットワーク（ＷＡＮ）、ＷｉＦｉネットワーク、セルラーネットワーク、ＰＬＣネットワークなどを介して通信してもよい。図２を参照して後述するように、ＣＤＳＰ１１２は、ユーザが興味を持つかもしれないイベントを特定するためコンテンツプラットフォーム１０２からのユーザプロファイルを受け取ってもよい。ＣＤＳＰ１１２は、コンテンツプラットフォーム１０２からユーザについての位置情報を受け取ってもよい。前記位置情報は、コンテンツプラットフォーム１０２に含まれるＧＰＳシステムの経路ガイダンス或いは旅行計画を介して判断される、ユーザの予測される別の位置を含んでもよい。ユーザの位置は、ユーザプロファイルに加えて、ユーザの現在或いは予測される地理的な領域内のユーザの興味のあるイベントを特定するために用いられてもよい。
【００２７】
図２は、一具現化例に係る、個人化された、位置ベースのコンテンツをユーザに提供するための方法２００を例示するプロセスフローチャートである。前記方法のある具現化例を説明するにあたって、図１のシステム１００が参照される。しかし、本明細書に記載される様々な具現化例は、任意の適切なシステムにて実行されることが理解されるであろう。前記方法２００は、コンテンツプラットフォーム１０２がメディアファイル及びノマディックデバイス１０８のようなノマディックデバイスに含まれる関連するファイルのメタデータを分析するブロック２０２で始まる。前記メディアファイルは、ノマディックデバイス１０８がコンテンツプラットフォーム１０２に通信可能に結合されるときに、コンテンツプラットフォーム１０２によって分析される。例えば、ノマディックデバイス１０８は、ノマディックデバイス１０８がコンテンツプラットフォーム１０２に結合されるＵＳＢポートにプラグインされるとき、或いはノマディックデバイス１０８がコンテンツプラットフォーム１０２に結合される無線ＬＡＮの範囲内に置かれると、コンテンツプラットフォーム１０２によって検出される。ノマディックデバイス１０８の存在の検出によって、コンテンツプラットフォーム１０２は、ユーザからの求めがなくても、ノマディックデバイス１０８からのいくつか或いは全てのコンテンツを分析する。
【００２８】
前記メディアファイル及び関連のファイルメタデータの分析が、コンテンツプラットフォーム１０２のユーザの興味に関する情報の受信を可能とする。いくつかの具現化例にあって、コンテンツプラットフォーム１０２によって受信された情報は、音楽ファイル、オーディオ／ビデオファイル、電子本（e-books）などのようなメディアファイルに関連する。前記メディアファイルのそれぞれは、対応するファイルの説明を提供するファイルメタデータを備える。例えば、前記ファイルのメタデータは、歌のタイトル、アーティスト、音楽ジャンル、映画タイトル、公開日、オーディオ／ビジュアル作品に出演の役者、映画ジャンル、本のタイトル、作者、発行者、本の見出し、などのような情報を含んでもよい。
【００２９】
コンテンツプラットフォーム１０２が、ノマディックデバイス１０８に蓄積された前記メディアファイル及び付随するファイルのメタデータの分析によって受信された情報の一部に基づいてユーザプロファイルを自動的に生成する。前記ファイルのメタデータは、前記メタデータによって示される様々なコンテンツの特性を識別するために用いられる。識別される各コンテンツの特性のため、興味の種類を示す識別子が前記ユーザプロファイルに加えられてもよい。例えば、前記ファイルのメタデータは、ノマディックデバイス１０８から受信されるいくつかの音楽ファイルが特定のアーティスト或いはミュージックバンドに対応するのを示す。そのような場合、前記特定のアーティスト或いはミュージックバンドに対応する興味識別子が前記ユーザプロファイルに追加される。他の具体例にあって、前記ファイルのメタデータは、ノマディックデバイス１０８から受信されるいくつかの音楽ファイルが特定の音楽ジャンルに対応することを示してもよい。そのような場合、特定の音楽ジャンルに対応する興味識別子が前記ユーザプロファイルに追加される。興味識別子の他のタイプが、メタデータに含まれる任意の情報タイプに基づいて前記ユーザプロファイルに追加されてもよい。さらに、前記興味識別子は、あるコンテンツ特性がノマディックデバイス１０８から受信されるコンテンツにて識別される流行にしたがってランク付けされてもよい。いったん生成されると、前記ユーザプロファイルは、ノマディックデバイス１０８がコンテンツプラットフォーム１０２に結合されるたびに、更新される。さらに、前記ユーザプロファイルは、ユーザによって視認され、さらには手動にてユーザによって編集される。例えば、コンテンツプラットフォーム１０２は、ユーザプロファイルインターフェースを備えてもよい。ユーザプロファイルインターフェースは、自動的に生成されたユーザプロファイルをユーザに視認させ、除去をさせる任意のユーザの興味指標を選択させる。さらに、ユーザプロファイルインターフェースは、ユーザが前記ユーザプロファイルに追加するために選択する付加的なユーザの興味指標のライブラリーを含んでもよい。
【００３０】
前記ユーザプロファイルは、コンテンツプラットフォーム１０２に関連される情報を含んでもよい。例えば、コンテンツプラットフォーム１０２が車両内に備えられると、前記ユーザプロファイルは、例えば、型、モデル、製造年、車両特徴などの車両に関連する情報を含んでもよい。他の具現化例にあって、コンテンツプラットフォーム１０２が移動電話のような移動型デバイスに含まれると、前記ユーザプロファイルは、電話サービス会社、電話モデルなどの関連情報を含んでもよい。そのような情報に関連のプラットフォームは、ブロック２０８として参照される、ユーザにプロットフォーム特有のコンテンツを配信するために用いられる。
【００３１】
ブロック２０６では、ノマディックデバイス１０８のユーザの位置が得られる。前記ユーザの位置は、ＧＰＳ位置デバイス１０６によって判断される現在の位置を含む。いくつかの具現化例にあって、前記ユーザの位置は、例えば、コンテンツプラットフォーム１０２に含まれるＧＰＳシステムの旅行計画或いは経路ガイダンスを通してユーザが選択した目的地に基づいた未来の期待される位置であってもよい。
【００３２】
ブロック２０８では、前記ユーザプロファイル及び位置情報が個人化されたコンテンツをユーザ、例えばコンテンツプラットフォーム１０２に配信するために用いられる。いくつかの具現化例にあって、前記ユーザプロファイル及び位置情報は、ＣＳＰ１１０に送信される。ＣＳＰ１１０は、ノマディックデバイス１０８を介してコンテンツプラットフォーム１０２にすでに役立つメディアファイルのリストを受け取ってもよい。いくつかの具現化例にあって、前記ユーザプロファイルは、前記ユーザプロファイルが生成されるか或いは更新されるたびにＣＳＰ１１０に送信されてもよい。ＣＳＰ１１０は、その後、前記ユーザプロファイルに含まれる１つ以上の興味識別子に対応する付加的なメディアファイルを識別する。例えば、ＣＳＰ１１０は、１つ以上の興味識別子によって識別される同一のミュージックバンドによる歌或いはミュージックアルバムを識別してもよい。例えば、ＣＳＰ１１０は、前記ユーザプロファイルによって識別された音楽ジャンルにおける地元の演奏者によって演奏される音楽の歌のファイルを識別してもよい。
【００３３】
前記ユーザファイルに対応した前記メディアファイルを識別した後、ＣＳＰ１１０は、ユーザが１つ以上のメディアファイルをダウンロード可能であることを示唆するのに、コンテンツプラットフォーム１０２にコンテンツメッセージを送信する。いくつかの具現化例にあって、ＣＳＰ１１０は、コンテンツメッセージをコンテンツプラットフォーム１０２に、例えば時間毎に、日毎に、週毎になどの定期的期間で、送信してもよい。他の具現化例にあって、ＣＳＰ１１０は、例えば、コンテンツプラットフォーム１０２が起動される毎のような、コンテンツプラットフォーム１０２がＣＳＰ１１０に接続される毎にコンテンツメッセージを送信してもよい。ユーザは、ＣＳＰ１１０からコンテンツプラットフォーム１０２にダウンロードするために示唆された１つ以上のメディアファイルを選択する。例えば、ユーザは、マルチメディアサーバ１１０にコンテンツプラットフォーム１０２からメディアファイルを手に入れるための購入リクエストを送信してもよい。ダウンロードされたメディアファイルは、コンテンツプラットフォーム１０２のメモリデバイスに蓄積されるか、或いはノマディックデバイス１０８に蓄積されてもよい。
【００３４】
いくつかの具現化例にあって、コンテンツプラットフォーム１０２は、ユーザの試みがなくても、ＣＳＰ１１０からのメディアを受信してもよい。例えば、コンテンツプラットフォーム１０２は、ＣＳＰ１１０からストリーミングメディアを受け取るようにプログラムされていてもよい。そのような具現化例にあって、ＣＳＰ１１０は識別されたメディアファイルを、コンテンツプラットフォーム１０２に順番に流されるように、メディアのリストに加えてもよい。
【００３５】
いくつかの具現化例にあって、個人化されたコンテンツは、ユーザプロファイルにおける１つ以上の興味指標に対応するユーザの地理的エリアでの近く行われるイベントのための通知を含んでもよい。前記通知は、コンテンツドリブンサービスプロバイダ（ＣＤＳＰ）１１２からコンテンツプラットフォーム１０２に送信される。いくつかの具現化例にあって、前記ユーザプロファイル及び位置データは、コンテンツプラットフォーム１０２からＣＤＳＰ１１２に送信される。前記ユーザプロファイルは、当該ユーザプロファイルが生成されるか、或いは更新される毎にＣＤＳＰ１１２に送信されてもよい。いくつかの具現化例にあって、ユーザの現在位置は、例えば車両がスタートされてコンテンツプラットフォームが起動されると、ＣＤＳＰ１１２に送信される。前記ユーザの現在位置は、車両が動いている間、周期的にＣＤＳＰ１１２に送信されてもよい。いくつかの具現化例にあって、コンテンツプラットフォーム１０２のＧＰＳナビゲーションにユーザが旅行プラン或いは目的地を入力すると、未来の予測される位置が、ＣＤＳＰ１１２に送信されてもよい。前記ユーザプロファイル及び位置データを用いることで、ユーザの現在位置、或いは未来の予測される位置での、前記ユーザプロファイルに含まれる１つ以上の興味識別子に対応する、近くでのイベントを特定する。ＣＤＳＰ１１２は、そのとき、前記イベントをユーザに知らせるのに、コンテンツプラットフォーム１０２にメッセージを送信してもよい。例えば、ユーザプロファイルが特定のミュージックグループについての興味を示すと、ＣＤＳＰ１１２はユーザの地理的に近いエリアにおける近く行われるコンサートを識別するか、ユーザの地理的に近いエリアにおける小売店によってオファーされる音楽ＣＤｓの売り出しを識別する。ＣＤＳＰ１１２は、コンテンツプラットフォーム１０２からのイベントに関係する、例えば予約をすること、製品を買うこと、入場券を買うことなどの、オファーをユーザが受け入れるのを可能とする。例えば、ＣＤＳＰ１１２は、イベントへの入場券のオファーを含むコンテンツプラットフォーム１０２へのメッセージを送信してもよい。ユーザは、そこで、コンテンツプラットフォーム１０２がＣＤＳＰ１１２へ前記入場券を購入するために購入リクエストを送信する場合に、コンテンツプラットフォーム１０２を介して前記オファーを受け入れるかもしれない。前記購入リクエストに応答して、ＣＤＳＰ１１２は、入場券の購入を承認すると、その承認の確認をコンテンツプラットフォーム１０２に送信する。さらに、いくつかの具現化例にあって、ＣＤＳＰ１１２は、イベントの場所をコンテンツプラットフォーム１０２に送信してもよいし、前記イベント場所はＧＰＳナビゲーションシステムによる未来の目的地として設定されてもよい。
【００３６】
図３は、一具現化例に係る、様々なデバイスからの個人化された、位置ベースのコンテンツへのユーザアクセスを可能とするためのシステム３００の図である。図３に示すように、システム３００は、コンテンツプラットフォーム１０２の代わり或いはコンテンツプラットフォーム１０２に加えて、任意の電子デバイスからＣＳＰ１１０（図１）へのユーザの接続による接続を可能としてもよい。前述したように、いくつかの具現化例にあって、コンテンツプラットフォーム１０２は、例えば、自動車、トラック、スポートユーティリティ車両、或いはボートなどのような他の車両のような車両３０２に含まれる。図３に示されるように、ＣＳＰ１１０は、ホームＰＣ３０４、ノートブックＰＣ３０６及びノマディックデバイス１０８（図１）の一つ以上によってアクセス可能とされる。したがって、図３のシステムは、ユーザが車両３０２から離れたときにも、ユーザによるＣＳＰ１１０へのアクセスを可能とする。
【００３７】
いくつかの具現化例にあって、ＣＳＰ１１０は、インターネットを介してアクセス可能であってもよい。ＣＳＰ１１０は、ホームＰＣ３０４、ノートブックＰＣ３０６、或いはノマディックデバイス１０８のウェブブラウズによってアクセスされるウェブページ（Webpage）のようなポータルを提供してもよい。ＣＳＰ１１０ポータルは、ＣＳＰ１１０に接続する各ユーザ用に個人化される。例えば、ＣＳＰ１１０は、以前にダウンロードされた、購入された、或いはユーザによってアクセスされたメディアファイルを表示してもよい。ＣＳＰ１１０ポータルは、さらにユーザアカウントの管理をユーザに可能とさせる。例えば、ＣＳＰ１１０ポータルは、ユーザがメディアファイルを手動で編集するのを可能とさせる。他の具現化例にあって、ＣＳＰ１１０は、ユーザに付加的なメディアファイルを購入するのを可能とさせる。図１及び２に関連した前記考察によれば、ＣＳＰ１１０は、ユーザが興味を持つかもしれない、任意のメディアファイルを、ユーザプロファイルに基づいて表示してもよい。ユーザプロファイルは、コンテンツプラットフォーム１０２（図１）によって生成されたユーザプロファイルであってもよい。さらに、前記ユーザプロファイルは、他のアクセスデバイスを介してＣＳＰ１１０を閲覧する間、実行されるユーザのアクティビティに基づいて更新される。さらに、デバイスの一つからＣＳＰ１１０をアクセスする間、ダウンロードされるメディアファイルは全てのデバイスに有効である。例えば、ユーザは、ホームＰＣ３０４からＣＳＰ１１０をアクセスする間、ＣＳＰ１１０からの歌のグループを購入してもよい。購入された歌は、ユーザの車両３０２のコンテンツプラットフォーム１０２にダウンロードされ、次にユーザが車両３０２をスタートさせると、コンテンツプラットフォーム１０２が起動される。
【００３８】
本発明は様々な変更及び代替の形状を許すが、特定の具現化例が図面にあって具体例という仕様にて示されてきたし、さらに本明細書にて説明されてきた。しかし、本発明は開示された特定の仕様に制限されることを意図していないことが理解されるべきである。むしろ、本発明は、以下に添付の特許請求の範囲にて定義される発明の思想及び範囲内での、すべての変更、等価物及び代替を含む。
【図１】
0005933456.tif 000002
【図２】
0005933456.tif 000003
【図３】
0005933456.tif 000004